(57)【要約】  無線通信システムに複数のコンポーネントキャリアが設定される場合であっても、ＨＡＲＱ−ＡＣＫのフィードバックを適切に行うと共に通信品質の低下を抑制すること。複数のセルから送信されるＤＬ信号を受信する受信部と、受信したＤＬ信号に対するＡＣＫ／ＮＡＣＫの送信を制御する制御部と、を有し、前記制御部は、複数のセルの下り制御情報を受信した場合、受信した下り制御情報に含まれるＤＬ割当てインデックスの値が最も大きいセル、又はセルインデックスが最も大きいセルに対して設定される上り制御チャネルのリソースを用いてＡＣＫ／ＮＡＣＫの送信を制御する。
2017026402.tif 000002
【特許請求の範囲】
【請求項１】
複数のセルから送信されるＤＬ信号を受信する受信部と、
受信したＤＬ信号に対するＡＣＫ／ＮＡＣＫの送信を制御する制御部と、を有し、
前記制御部は、複数のセルの下り制御情報を受信した場合、受信した下り制御情報に含まれるＤＬ割当てインデックスの値が最も大きいセル、又はセルインデックスが最も大きいセルに対して設定される上り制御チャネルのリソースを用いてＡＣＫ／ＮＡＣＫの送信を制御することを特徴とするユーザ端末。
【請求項２】
無線基地局から送信される複数の下り制御情報の中でＤＬ割当てインデックスの値が最も大きいセル、又はセルインデックスが最も大きいセルの下り制御情報に、他のセルと異なる上り制御チャネルのリソース情報が含まれていることを特徴とする請求項１に記載のユーザ端末。
【請求項３】
前記制御部は、受信した下り制御情報の中でＤＬ割当てインデックスの値が最も大きい下り制御情報に含まれる上り制御チャネルのリソース情報を用いてＡＣＫ／ＮＡＣＫの送信を制御することを特徴とする請求項１又は請求項２に記載のユーザ端末。
【請求項４】
前記制御部は、無線基地局から送信される複数の下り制御情報の中でＤＬ割当てインデックスの値が最も大きいセル、又はセルインデックスが最も大きいセルの下り制御情報を受信できなかった場合、当該ＤＬ割当てインデックスの値が最も大きいセル、又はセルインデックスが最も大きいセルに対応するＡＣＫ／ＮＡＣＫの送信を行わないことを特徴とする請求項１から請求項３のいずれかに記載のユーザ端末。
【請求項５】
前記制御部は、無線基地局から送信される複数の下り制御情報の中でＤＬ割当てインデックスの値が最も大きいセル又はセルインデックスが最も大きいセルとは異なる他セルの下り制御情報を受信できなかった場合、当該他セルについてＮＡＣＫを送信するように制御することを特徴とする請求項４に記載のユーザ端末。
【請求項６】
複数のセルから送信されるＤＬ信号を受信する受信部と、
受信したＤＬ信号に対するＡＣＫ／ＮＡＣＫと、ＤＬ信号を受信したセルに関する情報と、の送信を制御する制御部と、を有し、
複数のセルがグループ化されて分類されており、前記制御部は、ＤＬ信号を受信したセルが属するグループの情報と、当該グループに含まれるセルに対応するＡＣＫ／ＮＡＣＫの送信を制御することを特徴とするユーザ端末。
【請求項７】
前記制御部は、ＤＬ信号を受信したセルが属するグループに含まれるセルに対応するＡＣＫ／ＮＡＣＫをビットマップで送信し、ＤＬ信号を受信したセルが含まれないグループに対してＡＣＫ／ＮＡＣＫの送信を行わないように制御することを特徴とする請求項６に記載のユーザ端末。
【請求項８】
前記制御部は、ＤＬ信号を受信したセルが属するグループの情報と、当該グループに含まれるセルに対応するＡＣＫ／ＮＡＣＫの情報を別々に符号化して送信を制御することを特徴とする請求項６又は請求項７に記載のユーザ端末。
【請求項９】
複数のセルを利用可能なユーザ端末と通信を行う無線基地局であって、
各セルからＤＬ送信を行う送信部と、
ＤＬ送信に対してユーザ端末からフィードバックされるＡＣＫ／ＮＡＣＫの受信を制御する制御部と、を有し、
前記制御部は、ＤＬ送信を行う複数のセルの中で下り制御情報に含まれるＤＬ割当てインデックスの値が最も大きいセル、又はセルインデックスが最も大きいセルに対して設定される上り制御チャネルのリソースを考慮してＡＣＫ／ＮＡＣＫの受信を制御することを特徴とする無線基地局。
【請求項１０】
複数のセルを利用して通信可能なユーザ端末の無線通信方法であって、
複数のセルから送信されるＤＬ信号を受信する工程と、
受信したＤＬ信号に対するＡＣＫ／ＮＡＣＫを送信する工程と、を有し、
複数のセルの下り制御情報を受信した場合、受信した下り制御情報に含まれるＤＬ割当てインデックスの値が最も大きいセル、又はセルインデックスが最も大きいセルに対して設定される上り制御チャネルのリソースを用いてＡＣＫ／ＮＡＣＫの送信を制御することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥアドバンスト（以下、「ＬＴＥ−Ａ」と表す）、ＦＲＡ（Future  Radio  Access）などともいう）も検討されている。【０００３】
ＬＴＥ  Ｒｅｌ．１０−１２のシステム構成は、ＬＴＥシステム帯域を１単位とする少なくとも１つのコンポーネントキャリア（ＣＣ：Component  Carrier）を含んでいる。このように、複数のコンポーネントキャリア（セル）を集めて広帯域化することをキャリアアグリゲーション（ＣＡ：Carrier  Aggregation）という。ＬＴＥ  Ｒｅｌ．１０−１２のシステムでは、最大５ＣＣを用いたＣＡが利用される。【０００４】
ＬＴＥシステムでは、ユーザ端末（ＵＥ）と無線基地局（ｅＮＢ）の無線通信において、信号の受信ミスによる通信品質の劣化を抑制するために、ハイブリッド自動再送要求（ＨＡＲＱ：Hybrid  Automatic  Repeat  reQuest）がサポートされている。例えば、ユーザ端末は、無線基地局から送信されたＤＬ信号の受信状況に応じて、送達確認信号（ＨＡＲＱ−ＡＣＫ、ＡＣＫ／ＮＡＣＫとも呼ぶ）をフィードバックする。ユーザ端末は、ＨＡＲＱ−ＡＣＫを上り制御チャネル（ＰＵＣＣＨ）で送信する場合、ＣＣ（又は、セル）数等に応じて所定のＰＵＣＣＨフォーマットを利用することが規定されている（非特許文献２）。
【先行技術文献】
【非特許文献】
【０００５】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献２】3GPP  TS  36.213  “Evolved  Universal  Terrestrial  Radio  Access  (E-UTRA)  Physical  layer  procedures  (Release  12)”
【発明の概要】
【発明が解決しようとする課題】
【０００６】
既存のＬＴＥシステム（Ｒｅｌ．１２以前）において、ユーザ端末がフィードバックするＡＣＫ／ＮＡＣＫのビットサイズ（コードブックサイズ、ビット列サイズとも呼ぶ）は、無線基地局から上位レイヤシグナリングであらかじめ準静的（ｓｅｍｉ−ｓｔａｔｉｃ）に通知される情報（ＣＣ数等）に基づいて決定される。したがって、ＣＡを適用する場合、ユーザ端末は設定されるＣＣ数等に基づいて固定的に決定されるコードブックサイズでＡＣＫ／ＮＡＣＫフィードバックを行う。【０００７】
このため、ユーザ端末に設定されるＣＣ数と、あるサブフレームでＤＬ信号のスケジューリングが行われるＣＣ数が異なる場合、ユーザ端末において、コードブックサイズを変更できない。その結果、実際にスケジューリングされるＣＣ数が少ない場合であっても、送信するＡＣＫ／ＮＡＣＫサイズが必要以上に大きくなる場合がある。【０００８】
また、Ｒｅｌ．１２以前では、ＣＡ時に設定可能なＣＣ数が最大５個であったが、Ｒｅｌ．１３以降では設定可能なＣＣ数の拡張が想定されている。かかる場合に、既存のＬＴＥシステムと同様にＡＣＫ／ＮＡＣＫのビットサイズを決定すると、設定されるＣＣ数と、スケジューリングされるＣＣ数とが大きく異なる場合が生じる。これにより、ＵＬ送信のオーバーヘッドが増加するおそれがある。【０００９】
一方で、ユーザ端末が受信したＤＬ信号（ＤＬ信号を受信したＣＣ数）等に基づいて、フィードバックするＨＡＲＱ−ＡＣＫのコードブックサイズを動的に制御することが考えられる。しかし、ユーザ端末がＤＬ信号を検出ミス又は誤検出した場合、無線基地局と、ユーザ端末でコードブックサイズの認識が異なる場合が生じる。かかる場合、無線基地局は、ユーザ端末からフィードバックされたＡＣＫ／ＮＡＣＫを適切に復号できず、通信品質が低下するおそれがある。【００１０】
本発明はかかる点に鑑みてなされたものであり、無線通信システムに複数のコンポーネントキャリアが設定される場合であっても、ＨＡＲＱ−ＡＣＫのフィードバックを適切に行うと共に通信品質の低下を抑制可能なユーザ端末、無線基地局及び無線通信方法を提供することを目的の１つとする。
【課題を解決するための手段】
【００１１】
本発明の一態様に係るユーザ端末は、複数のセルから送信されるＤＬ信号を受信する受信部と、受信したＤＬ信号に対するＡＣＫ／ＮＡＣＫの送信を制御する制御部と、を有し、前記制御部は、複数のセルの下り制御情報を受信した場合、受信した下り制御情報に含まれるＤＬ割当てインデックスの値が最も大きいセル、又はセルインデックスが最も大きいセルに対して設定される上り制御チャネルのリソースを用いてＡＣＫ／ＮＡＣＫの送信を制御することを特徴とする。
【発明の効果】
【００１２】
本発明の一態様によれば、無線通信システムに複数のコンポーネントキャリアが設定される場合であっても、ＨＡＲＱ−ＡＣＫのフィードバックを適切に行うと共に通信品質の低下を抑制することが可能となる。
【図面の簡単な説明】
【００１３】
【図１】図１Ａは５ＣＣが設定されたユーザ端末の下りリンクのスケジューリングの一例を示す図であり、図１Ｂは３２ＣＣが設定されたユーザ端末の下りリンクのスケジューリングの一例を示す図である。
【図２】ユーザ端末と無線基地局間のスケジューリングＣＣの認識の一例を示す図である。
【図３】ＤＡＩを利用したＡＣＫ／ＮＡＣＫ送信の一例を示す図である。
【図４】第１の態様におけるＡＣＫ／ＮＡＣＫ送信方法の一例を示す図である。
【図５】第１の態様におけるＡＣＫ／ＮＡＣＫ送信方法の他の例を示す図である。
【図６】図６Ａは第２の態様における複数セルをグループ化した場合のテーブルの一例を示す図であり、図６Ｂは第２の態様における複数セルをグループ化した場合のＡＣＫ／ＮＡＣＫ送信方法の一例を示す図である。
【図７】図７Ａは第２の態様における上り制御情報の送信に利用するサブフレーム構成の一例を示す図であり、図７Ｂは第２の態様における上り制御情報の送信に利用するサブフレーム構成の他の一例を示す図である。
【図８】本発明の一実施形態に係る無線通信システムの概略構成図である。
【図９】本発明の一実施形態に係る無線基地局の全体構成の一例を示す図である。
【図１０】本発明の一実施形態に係る無線基地局の機能構成の一例を示す図である。
【図１１】本発明の一実施形態に係るユーザ端末の全体構成の一例を示す図である。
【図１２】本発明の一実施形態に係るユーザ端末の機能構成の一例を示す図である。
【発明を実施するための形態】
【００１４】
ＬＴＥシステムでは、複数のＣＣ（セル）を用いたユーザ端末と無線基地局の無線通信において再送制御（ＨＡＲＱ−ＡＣＫ：Hybrid  Automatic  Repeat  Request  Acknowledgement、ＡＣＫ／ＮＡＣＫ：ACKnowledgement/Negative  ACKnowledgement）がサポートされている。例えば、ユーザ端末は、無線基地局から送信されるＤＬ信号に対する受信結果に基づいてＡＣＫ／ＮＡＣＫ（又はＤＴＸ）を無線基地局へフィードバックする。
【００１５】
ＬＴＥシステムでは、ユーザ端末がＡＣＫ／ＮＡＣＫ（ＨＡＲＱ−ＡＣＫ）を上り制御チャネル（ＰＵＣＣＨ）で無線基地局に送信するために複数のＰＵＣＣＨ  ｆｏｒｍａｔが規定されている。ここで、ＡＣＫ／ＮＡＣＫは、ＡＣＫとＮＡＣＫを示すビットで構成される所定の長さのビット列で構成される。
【００１６】
例えば、ＰＵＣＣＨ  ｆｏｒｍａｔ  １ａ／１ｂが設定されたユーザ端末は、ＰＤＳＣＨをスケジューリングする制御チャネル（ＰＤＣＣＨ／ＥＰＤＣＣＨ）のＣＣＥ／ＥＣＣＥ（Control  Channel  Element／Enhanced  CCE）インデックスに対応するＰＵＣＣＨリソースで、ＡＣＫ／ＮＡＣＫ信号について符号化せずに送信する。
【００１７】
また、ＰＵＣＣＨ  ｆｏｒｍａｔ  ３が設定されたユーザ端末は、ＳＣｅｌｌのＰＤＣＣＨ／ＥＰＤＣＣＨに含まれるＴＰＣ（Transmit  Power  Control）フィールド（ＴＰＣコマンドビット）をＡＲＩ（Ack/nack  Resource  Indicator）として読み替え、上位レイヤシグナリングで設定された４つのリソースのうち、ＡＲＩが指定するいずれか１つのＰＵＣＣＨリソースで送信する。この時、ＡＲＩの値は異なるＳＣｅｌｌのＰＤＳＣＨをスケジューリングするＰＤＣＣＨ、ＥＰＤＣＣＨ間で同一とすることができる。ＰＵＣＣＨ  ｆｏｒｍａｔ  ３においては、ＦＤＤ（Frequency  Division  Duplex）を用いる場合には最大１０ビット、ＴＤＤ（Time  Division  Duplex）を用いる場合には最大２１ビットのコードブックサイズが設定され、ＡＣＫ／ＮＡＣＫのために用いられる。
【００１８】
既存システム（ＬＴＥ  Ｒｅｌ．１０−１２）では、ＰＵＣＣＨで送信するＨＡＲＱ−ＡＣＫのコードブック（ＡＣＫ／ＮＡＣＫビット列）サイズは、上述したように上位レイヤシグナリングで通知される情報に基づきｓｅｍｉ−ｓｔａｔｉｃ（準静的）に決定されている。
【００１９】
ＦＤＤを用いる場合には、ＲＲＣシグナリングで設定（Configure）されるＣＣ数と、各ＣＣにおいてＭＩＭＯ（Multiple  Input  Multiple  Output）の適用可否を示すＴＭ（Transmission  Mode）に基づいて、全体のＡＣＫ／ＮＡＣＫ（Ａ／Ｎ）ビットサイズが確定される。この場合、ユーザ端末は、スケジューリング対象のＣＣ数に関係なく上位レイヤシグナリングに基づいてＡＣＫ／ＮＡＣＫビット列を送信する。
【００２０】
ＴＤＤを用いる場合には、上述したＦＤＤを用いる場合に加え、１ＵＬサブフレームのＰＵＣＣＨあたりの送達確認信号（ＡＣＫ／ＮＡＣＫ）の対象となるＤＬサブフレーム数に基づいて、ＡＣＫ／ＮＡＣＫビット列全体のサイズが確定する。ユーザ端末は、スケジューリング情報に含まれているスケジューリング対象のＣＣ数や、サブフレーム数に関係なく上位レイヤシグナリングに基づいてＡＣＫ／ＮＡＣＫビット列を送信する。
【００２１】
このように、上位レイヤシグナリングによって通知された情報に基づいてフィードバックするＡＣＫ／ＮＡＣＫのビットサイズが決定される場合、ユーザ端末に実際にスケジューリングされたＣＣ数に対応するＡＣＫ／ＮＡＣＫビットサイズと異なる場合が生じる。
【００２２】
例えば、ＣＡを利用するユーザ端末に５ＣＣ（ＣＣ＃０−＃４）が設定され、あるサブフレームにおいて３ＣＣ（ＣＣ＃０、＃３、＃４）を用いて当該ユーザ端末にＤＬ信号が送信される場合を想定する（図１Ａ参照）。図１Ａに示す例では、スケジューリングされたＣＣは、ＣＣ＃０、ＣＣ＃３、ＣＣ＃４の３つに過ぎない。しかし、上位レイヤシグナリングから通知されるＡＣＫ／ＮＡＣＫサイズが５ＣＣ分であるため、ユーザ端末は５ＣＣ分のＡＣＫ／ＮＡＣＫを送信する。この場合、ユーザ端末は、スケジューリングされないＣＣ（ＣＣ＃１、ＣＣ＃２）に対応するＰＤＣＣＨ／ＥＰＤＣＣＨを検出することはできないため、ＮＡＣＫと判断してフィードバックを行う。
【００２３】
このように、既存システムでは、実際にスケジューリング（ＤＬ信号が送信）されるＣＣに対応するＡＣＫ／ＮＡＣＫコードブックサイズと、上位レイヤシグナリングによって通知されるコードブックサイズが異なる場合でも、ユーザ端末はコードブックサイズを変更できない。
【００２４】
ところで、ＬＴＥ  Ｒｅｌ．１０−１２におけるＣＡでは、ユーザ端末あたりの設定可能なＣＣ数が最大５個に制限されている。一方、ＬＴＥ  Ｒｅｌ．１３以降では、より柔軟かつ高速な無線通信を実現するために、ユーザ端末に設定可能なＣＣ数の制限を緩和し、６個以上のＣＣ（５個を超えるＣＣ、たとえば最大３２個のＣＣ）を設定することが検討されている（図１Ｂ参照）。ここで、設定可能なＣＣ数が６個以上であるキャリアアグリゲーションは、例えば、拡張ＣＡ（enhanced  ＣＡ）、Ｒｅｌ．１３  ＣＡなどと呼ばれてもよい。
【００２５】
このように、設定されるＣＣ数が拡張される場合、設定されるＣＣ数と各サブフレームでスケジューリングされるＣＣ数の差が大きくなることが想定される。設定されるＣＣ数に対してＤＬ信号がスケジューリングされるＣＣ数が少ない場合に、従来のようにコードブックサイズをｓｅｍｉ−ｓｔａｔｉｃに決定すると、ユーザ端末から送信されるＡＣＫ／ＮＡＣＫのほとんどがＮＡＣＫであるような場合が生じる。例えば、図１Ｂでは、ユーザ端末に３２ＣＣが設定され、実際にスケジューリングされるＣＣ数が１０個となる場合を示している。この場合には、全体のＣＣ数（３２ＣＣ）に比べて、実際にスケジューリングされるセルの数（１０ＣＣ）が少なく、半分以上のＣＣがＮＡＣＫとなる。
【００２６】
また、ＡＣＫ／ＮＡＣＫのコードブックサイズが小さいほど、ユーザ端末が送信する情報量は少なくなる。したがって、ＡＣＫ／ＮＡＣＫのコードブックサイズを小さくできれば、無線送信に際し要求される通信品質（ＳＩＮＲ：Signal  to  Interference  plus  Noise  power  Ratio）を低く抑えることができる。例えば、最大５ＣＣを用いるＣＡでも、ユーザ端末がフィードバックするＡＣＫ／ＮＡＣＫのコードブックサイズをスケジューリングされるＣＣに応じて小さくすることでＡＣＫ／ＮＡＣＫの送信において要求されるＳＩＮＲを低く抑えることができる。
【００２７】
このため、ユーザ端末がフィードバックするＡＣＫ／ＮＡＣＫ（ＨＡＲＱ−ＡＣＫ）のコードブックサイズを、スケジューリングされたＣＣ数に応じてダイナミック（動的）に変更可能とすることが有効となる。
【００２８】
ユーザ端末がフィードバックするＡＣＫ／ＮＡＣＫのコードブックサイズを動的に変更可能とする場合、例えば、スケジューリングされたＣＣ数等に応じて、ユーザ端末がＡＣＫ／ＮＡＣＫのビット数を動的に変更することが考えられる。ＡＣＫ／ＮＡＣＫのビット数を動的に変更する方法としては、ユーザ端末が、下り信号（例えば、ＰＤＳＣＨをスケジューリングするＰＤＣＣＨ／ＥＰＤＣＣＨ）の検出数に基づき、ＡＣＫ／ＮＡＣＫのビット数を決定する方法が考えられる。
【００２９】
このように、ユーザ端末が検出した下り制御情報（ＰＤＣＣＨ／ＥＰＤＣＣＨ）に基づいてＡＣＫ／ＮＡＣＫのコートブックサイズを制御することにより、スケジューリングされるＣＣ数に応じて適切にコードブックサイズを縮小することが可能となる。
【００３０】
ところで、ＣＡを適用したＡＣＫ／ＮＡＣＫにおいて用いられるＰＵＣＣＨ  ｆｏｒｍａｔ（例えばｆｏｒｍａｔ  ３）においては、ＡＣＫ／ＮＡＣＫビット列に誤り訂正符号化（例えばブロック符号化）が適用されて送信される。このため、符号化を行うユーザ端末と、復号を行う無線基地局でコードブックサイズの認識が一致していなければ、無線基地局はユーザ端末からフィードバックされたＡＣＫ／ＮＡＣＫを正しく復号することはできない。
【００３１】
例えば、ユーザ端末が、本来スケジューリングされたＣＣ数と異なるＣＣ数を認識するような検出ミスや誤検出が発生すると、無線基地局とユーザ端末でコードブック（ビット列）サイズの認識が一致しない事態が生じる（図２参照）。図２では、無線基地局がユーザ端末に対して８ＣＣを利用したスケジューリング（ＤＬ信号の送信）を行っているが、ユーザ端末では５ＣＣ分のＰＤＣＣＨ／ＥＰＤＣＣＨ（スケジューリング情報）を検出する場合を示している。つまり、ユーザ端末は、３ＣＣ分のＤＬ信号（例えば、ＰＤＣＣＨ／ＥＰＤＣＣＨ）について検出ミスしている。
【００３２】
図２においてユーザ端末が検出したＤＬ信号（ＣＣ数）に基づいてＡＣＫ／ＮＡＣＫコードブックサイズを決定する場合、ユーザ端末は、検出した５ＣＣ分のＡＣＫ／ＮＡＣＫビット列を無線基地局に送信する。そのため、無線基地局は正しく復号ができずＡＣＫ／ＮＡＣＫビット列全体が影響を受けて、ＡＣＫ／ＮＡＣＫを用いたフィードバック品質が著しく劣化してしまう。
【００３３】
このように、ユーザ端末は、無線基地局から所定ＣＣで送信されたＤＬ信号を検出ミスした場合、当該無線基地局がＤＬ信号を送信したＣＣ数よりも少ないＣＣ数の割当てと判断する。また、ユーザ端末は、無線基地局から送信されたＤＬ信号を誤検出した場合、当該無線基地局がＤＬ信号を送信したＣＣ数より多いＣＣ数の割当てと判断する。
【００３４】
ＰＤＣＣＨ／ＥＰＤＣＣＨの検出数に基づいてユーザ端末が送信するＡＣＫ／ＮＡＣＫのコードブックサイズを決める方法は容易に適用することができるが、検出ミスや誤検出が発生すると、無線基地局とユーザ端末の間でコードブックサイズの認識がずれる。かかる場合、上述したようにＡＣＫ／ＮＡＣＫに基づくフィードバック品質が劣化し、通信品質が劣化してしまうおそれがある。
【００３５】
あるいは、ユーザ端末が、あるサブフレームでスケジューリングされたセル（ＤＬ送信が行われたセル）を、各セルの下り制御情報に含まれるＤＬ割当てインデックス（ＤＡＩ：Downlink  Assignment  Indicator（Index））を利用して判断することが考えられる。ＤＡＩは、スケジューリングされたセルに対してそれぞれ割当てられる値であり、スケジューリングセルの数（累積値）を示すために利用される。
【００３６】
例えば、無線基地局は、スケジューリングされたセルの下り制御情報にそれぞれ異なるＤＡＩを含めて送信する。各セルの下り制御情報に含めるＤＡＩは、例えば、セルインデックス等に基づいて昇順に設定することができる。この場合、スケジューリングされたセルの中でセルインデックスが最も大きいセルのＤＡＩが最大（スケジューリングされたセル数）となる。
【００３７】
ユーザ端末は、複数のセルからＤＬ信号を受信した場合、各セルの下り制御情報に含まれるＤＡＩ（累積値）の値が連続していない場合に、検出できなかったＤＡＩに対応するセルを検出ミスしたと判断することができる。例えば、図３に示すように、１５個のＣＣが設定されるユーザ端末に対して、あるサブフレームで６ＣＣ（ＣＣ＃１、＃４、＃６、＃８、＃１１、＃１３）を用いてＤＬ送信が行われる場合を想定する。
【００３８】
かかる場合、無線基地局は、６ＣＣ（ＣＣ＃１、＃４、＃６、＃８、＃１１、＃１３）の下り制御情報にそれぞれ異なるＤＡＩ（１−６）を設定して送信する。例えば、ユーザ端末がＣＣ＃６を検出ミスした場合、ユーザ端末で検出されるＤＡＩは１、２、４−６となるため、ユーザ端末は所定ＣＣで検出ミスが生じたことを判断することができる。かかる場合、ユーザ端末は、当該検出ミスしたＣＣについてＮＡＣＫと判断すると共に、検出した最大のＤＡＩ（ここでは、６）に基づいてＡＣＫ／ＮＡＣＫコードブックサイズを決定してフィードバックすることができる。無線基地局は、ユーザ端末からフィードバックされた情報に基づいてＣＣ＃６においてＤＬ信号を再送することができる。
【００３９】
このように、ＤＡＩを利用することにより、ユーザ端末と無線基地局間のＡＣＫ／ＮＡＣＫコードブックサイズの認識を一致させると共に、ユーザ端末が検出ミスをしたＣＣについて無線基地局側で再送制御を適切に行うことができる。
【００４０】
しかし、本発明者等は、ＤＡＩを利用した場合であっても、スケジューリングされたセルの中で下り制御情報に含まれるＤＡＩが最大となるセルを検出ミスした場合に、ユーザ端末が当該検出ミスを把握できないことを見出した。例えば、図３において、ユーザ端末がＣＣ＃１３を検出ミスした場合、ユーザ端末で検出されるＤＡＩは連続する１−５となるため、ユーザ端末はＣＣ＃１３の検出ミスを判断することができない。かかる場合、ユーザ端末は、スケジューリングされたＣＣが５ＣＣ（ＣＣ＃１、＃４、＃６、＃８、＃１１）であると判断してコードブックサイズを決定し、ＡＣＫ／ＮＡＣＫフィードバックを行う。その結果、ユーザ端末と無線基地局間のＡＣＫ／ＮＡＣＫコードブックサイズの認識が一致しない場合が生じる。
【００４１】
そこで、本発明者らは、スケジューリングされるセルの中で少なくともＤＡＩの値が最も大きいセルに対して他のセルと異なる上り制御チャネルのリソースを設定し、ユーザ端末の検出状態に応じて異なる上り制御チャネルリソースを利用したＡＣＫ／ＮＡＣＫフィードバックを行うことを着想した。例えば、ユーザ端末は、複数のセルの下り制御情報を受信した場合、当該下り制御情報に含まれるＤＬ割当てインデックスの値が最も大きいセルに対して設定される上り制御チャネルのリソースを用いてＡＣＫ／ＮＡＣＫの送信を制御する。
【００４２】
これにより、無線基地局は、ユーザ端末からのＡＣＫ／ＮＡＣＫが割当てられる上り制御チャネルのリソースに基づいてユーザ端末の検出状態を把握することができる。その結果、ユーザ端末と無線基地局間のＡＣＫ／ＮＡＣＫコードブックサイズの認識を一致させ、ＨＡＲＱ−ＡＣＫのフィードバックを適切に行うと共に通信品質の低下を抑制することが可能となる。
【００４３】
また、本発明者らは、ユーザ端末がＤＬ信号を受信したセルに関する情報（検出したセルのスケジューリング情報）と、受信したＤＬ信号に対するＡＣＫ／ＮＡＣＫを少なくとも含むＡＣＫ／ＮＡＣＫ結果をフィードバックすることを着想した。例えば、ユーザ端末に設定されるセル（又は、設定可能なセル）を複数のグループに分類し、ＤＬ信号を受信したセルが属するグループの情報と、当該グループに含まれるセルのＤＬ送信に対するＡＣＫ／ＮＡＣＫの送信を制御する。
【００４４】
これにより、無線基地局は、ユーザ端末がＤＬ信号を受信したセルに関する情報に基づいてユーザ端末の検出状態を把握することができる。その結果、ユーザ端末と無線基地局間のＡＣＫ／ＮＡＣＫコードブックサイズの認識を一致させ、ＨＡＲＱ−ＡＣＫのフィードバックを適切に行うと共に通信品質の低下を抑制することが可能となる。
【００４５】
以下、本発明に係る実施形態について説明する。以下の説明において、ユーザ端末がＤＬ信号を受信したセルに関する情報は、ユーザ端末が検出したセル（又は、ＣＣ）に関する情報であればよく、スケジューリングされるセル（ＣＣ）のセルインデックスを示す情報とすることができる。あるいは、複数ＣＣを所定のグループに分類する場合には、スケジューリング対象となるセルを少なくとも含むセルグループに関する情報とすることも可能である。
【００４６】
また、以下に示す実施の形態では、ＨＡＲＱ−ＡＣＫフィードバックとして、ＰＵＣＣＨフォーマット３を利用することができるが、これに限られない。ＰＵＣＣＨフォーマット３より容量が大きい新規ＰＵＣＣＨフォーマットを利用することも可能である。また、デュアルコネクティビティ（ＤＣ：Dual  Connectivity）を利用する場合には、ＰＣｅｌｌと含むＭＣＧと、ＰＵＣＣＨ送信を行うＰＳＣｅｌｌを含むＳＣＧに分類されるが、ＰＣｅｌｌをＰＳＣｅｌｌと置き換えてＳＣＧに適用することができる。また、スケジューリングを行うセルの数や配置、スケジューリングされるセルのインデックス、送信される信号についても以下の例に限られない。
【００４７】
（第１の態様）
第１の態様では、スケジューリングされるセルの中で少なくともＤＡＩの値が最も大きいセルに対して他のセルと異なる上り制御チャネルのリソースを設定してＡＣＫ／ＮＡＣＫ送信を行う場合について説明する。
【００４８】
図４、図５は、複数のＣＣ（ここでは、４ＣＣ）が設定されたユーザ端末に対して、あるサブフレームで３ＣＣ（ここでは、ＣＣ＃０、＃１、＃３）からＤＬ送信が行われる場合のＡＣＫ／ＮＡＣＫフィードバック方法の一例を示している。この場合、無線基地局は、ＣＣ＃０の下り制御情報にＤＡＩ＝１、ＣＣ＃１の下り制御情報にＤＡＩ＝２、ＣＣ＃３の下り制御情報にＤＡＩ＝３を設定する。つまり、スケジューリングされるセルの中でＣＣ＃３がＤＡＩの値が最も大きいセルに相当し、ＣＣ＃３の下り制御情報が複数のセルの中でスケジューリングされる最後のＰＤＣＣＨ（last  PDCCH）となる。
【００４９】
図４、図５では、スケジューリングされた（ＤＬ信号が送信される）セルに対して、それぞれ異なる上り制御チャネルのリソース（ＰＵＣＣＨリソース）候補を設定する場合を示している。具体的には、ＣＣ＃０に対してＰＵＣＣＨリソース＃０、ＣＣ＃１に対してＰＵＣＣＨリソース＃１、ＣＣ＃３に対してＰＵＣＣＨリソース＃２が設定される場合を示している。
【００５０】
無線基地局は、各ＰＵＣＣＨリソース候補に関する情報を下り制御情報及び／又は上位レイヤシグナリング（例えば、ＲＲＣシグナリング）等でユーザ端末に通知することができる。あるいは、ユーザ端末は、各セルの下り制御情報の制御チャネル要素（ＣＣＥ／ＥＣＣＥ）やオフセット値等を利用して各ＰＵＣＣＨリソース候補を決定することも可能である。あるいは、一部のＰＵＣＣＨリソース（例えば、ＤＡＩの値が最も大きいセルに対応するＰＵＣＣＨリソース）又は全てのＰＵＣＣＨリソースをあらかじめ仕様で定義してもよい。
【００５１】
ユーザ端末は、複数のセルの下り制御情報を受信した場合、当該下り制御情報に含まれるＤＡＩの値が最も大きいセルに関連付けられたＰＵＣＣＨリソースを用いてＡＣＫ／ＮＡＣＫの送信を制御することができる。無線基地局は、スケジューリングした複数のセルの中でＤＡＩが最も大きいセルに対して設定されるＰＵＣＣＨリソースでＡＣＫ／ＮＡＣＫがフィードバックされると想定して受信動作を行う。仮に、ＤＡＩが最も大きいセルに対応するＰＵＣＣＨリソースでＡＣＫ／ＮＡＣＫを検出できない場合、２番目にＤＡＩが大きいセルに対して設定されるＰＵＣＣＨリソースでＡＣＫ／ＮＡＣＫの受信動作を行う。
【００５２】
例えば、ユーザ端末がスケジューリングされたＣＣ＃０、＃１、＃３のＤＬ送信を全て受信した場合（図４参照）、ＤＡＩが最も大きいセルはＣＣ＃３となる。この場合、ユーザ端末は、ＣＣ＃３に対応するＰＵＣＣＨリソース＃２を用いてＣＣ＃０、＃１、＃３のＤＬ送信に対するＡＣＫ／ＮＡＣＫを送信する。例えば、ＣＣ＃０、＃３がＡＣＫ、ＣＣ＃１がＮＡＣＫの場合、ユーザ端末は“１、０、１”の情報をＰＵＣＣＨリソース＃２に割当てて送信する。ここで、“１”はＡＣＫ、“０”はＮＡＣＫに相当する。なお、ユーザ端末が他のセル（例えば、ＣＣ＃１）を検出ミスした場合には、ＤＡＩの値が不連続となるため、当該ＣＣ＃１の検出ミスを把握してＮＡＣＫをフィードバックすることができる。
【００５３】
無線基地局は、スケジューリングした複数のセルの中でＤＡＩが最も大きいＣＣ＃３に対して設定されるＰＵＣＣＨリソース＃２でＡＣＫ／ＮＡＣＫがフィードバックされると想定して受信動作を行う。図４では、無線基地局は、ＰＵＣＣＨリソース＃２でＡＣＫ／ＮＡＣＫを検出するため、ＤＡＩが最も大きいＣＣ＃３（last  PDCCH）をユーザ端末が検出ミスせずに受信したと判断することができる。
【００５４】
ＣＣ＃３に対して設定されるＰＵＣＣＨリソース＃２でＡＣＫ／ＮＡＣＫを受信した場合、無線基地局は、ユーザ端末が全てのＣＣに対するＡＣＫ／ＮＡＣＫをフィードバックすると考慮して、ＡＣＫ／ＮＡＣＫコードブックサイズを決定することができる。これにより、ユーザ端末と無線基地局間のＡＣＫ／ＮＡＣＫコードブックサイズの認識を一致させ、ＨＡＲＱ−ＡＣＫのフィードバックを適切に行うと共に通信品質の低下を抑制することが可能となる。
【００５５】
一方で、ユーザ端末がスケジューリングされたＣＣ＃０、＃１、＃３の中でＣＣ＃３の検出をミスした場合を想定する（図５参照）。図５において、ユーザ端末が受信した下り制御情報の中でＤＡＩが最も大きい値は２（ＣＣ＃１に対応）となる。つまり、スケジューリングされたセルの下り制御情報の中でＤＡＩが最も大きいＣＣ（ＣＣ＃３）と、ユーザ端末が受信したセルの下り制御情報の中でＤＡＩが最も大きいＣＣ（ＣＣ＃１）が異なる。
【００５６】
この場合、ユーザ端末は、ＣＣ＃１に対応するＰＵＣＣＨリソース＃１を用いてＣＣ＃０、＃１のＤＬ送信に対するＡＣＫ／ＮＡＣＫを送信する。例えば、ＣＣ＃０、＃１がＡＣＫの場合、ユーザ端末は“１、１”の情報をＰＵＣＣＨリソース＃１に割当てて送信する。なお、ユーザ端末が他のセル（例えば、ＣＣ＃０）を検出ミスした場合には、ＤＡＩの値が不連続となるため、当該ＣＣ＃０の検出ミスを把握してＮＡＣＫをフィードバックすることができる。
【００５７】
このように、ユーザ端末は、ＤＡＩが最も大きいＣＣ＃３（last  PDCCH）を検出ミスした場合、当該検出ミスを把握することができないため、ＣＣ＃３に対するＡＣＫ／ＮＡＣＫはフィードバックしない構成とすることができる。
【００５８】
図５の場合、無線基地局は、ＰＵＣＣＨリソース＃２でＡＣＫ／ＮＡＣＫを検出することができないため、ＤＡＩが最も大きいＣＣ＃３（last  PDCCH）をユーザ端末が検出ミスしたと判断することができる。次に、無線基地局は、スケジューリングした複数のセルの中で２番目にＤＡＩが大きいＣＣ＃１に対して設定されるＰＵＣＣＨリソース＃１でＡＣＫ／ＮＡＣＫの受信動作を行う。
【００５９】
ＣＣ＃１に対して設定されるＰＵＣＣＨリソース＃１でＡＣＫ／ＮＡＣＫを受信した場合、無線基地局は、ユーザ端末が検出ミスをしたＣＣ＃３に対するＡＣＫ／ＮＡＣＫがユーザ端末からフィードバックされないと想定して、ＡＣＫ／ＮＡＣＫコードブックサイズを決定することができる。これにより、ユーザ端末と無線基地局間のＡＣＫ／ＮＡＣＫコードブックサイズの認識を一致させ、ＨＡＲＱ−ＡＣＫのフィードバックを適切に行うと共に通信品質の低下を抑制することが可能となる。
【００６０】
＜変形例＞
なお、図４、図５では、ＤＡＩの値が異なるＣＣに対してそれぞれ異なるＰＵＣＣＨリソースを設定する場合を示したが本実施の形態はこれに限られない。例えば、ＤＡＩが最も大きいセル（図４、図５におけるＣＣ＃３）以外の他のセル（例えば、図４、図５におけるＣＣ＃０−ＣＣ＃２）に対して共通のＰＵＣＣＨリソースを設定してもよい。この場合、無線基地局は、他のセルのＰＵＣＣＨリソースを、既存システムと同様にセカンダリセルの下り制御情報の電力フィールドを利用したＡＲＩ（ACK/NACK  Resource  Indicator）で指定することができる。
【００６１】
あるいは、他のセルにプライマリセルが含まれている場合、プライマルセル（例えば、図４、図５におけるＣＣ＃０）と、ＤＡＩが最も大きいセル（図４、図５におけるＣＣ＃３）と、その他のセル（図４、図５におけるＣＣ＃１、２）に対して異なるＰＵＣＣＨリソースを設定してもよい。この場合、プライマリセルのＰＵＣＣＨリソースは、下り制御チャネルを構成する制御チャネル要素（ＣＣＥ）に基づいて決定する構成としてもよい。
【００６２】
このように、ＤＡＩが最も大きいセル（last  PDCCH）以外の複数のセルに対して共通のＰＵＣＣＨリソースを設定することにより、ユーザ端末に設定されるＣＣ（又は、スケジューリングされるＣＣ）が増加する場合であっても、設定するＰＵＣＣＨリソース数を低減することができる。
【００６３】
（第２の態様）
第２の態様では、ユーザ端末がＤＬ信号を受信したセルに関する情報（検出したセルのスケジューリング情報）と、受信したＤＬ信号に対するＡＣＫ／ＮＡＣＫを少なくとも含むＡＣＫ／ＮＡＣＫの情報をフィードバックする場合について説明する。
【００６４】
第２の態様の一例として、ユーザ端末に設定されるセル（又は、設定可能なセル）を複数のグループに分類し、ＤＬ信号を受信したセルが属するグループの情報と、当該グループに含まれる各セルのＡＣＫ／ＮＡＣＫの送信を行う構成とすることができる。例えば、ユーザ端末に３２ＣＣが設定される（設定可能な）場合、当該３２ＣＣをＺグループに分割し、Ｚビットのビットマップを利用して各ＣＣグループのスケジューリング情報を無線基地局に通知することができる。
【００６５】
Ｚを３２とする場合、ユーザ端末は、各ＣＣに対するＤＬ送信の受信状況と、ＡＣＫ／ＮＡＣＫ結果を上り制御情報を用いて無線基地局に通知することが可能となる。なお、ＤＬ信号が送信されないＣＣについてはＮＡＣＫをフィードバックすることができる。かかる場合、ＵＬ信号に含めるビットマップの容量は大きくなるが、各ＣＣに対する受信状況を無線基地局に詳細に報告することが可能となる。
【００６６】
あるいは、３２ＣＣを複数のグループ（例えば、Ｚ＝４）とする場合、複数のＣＣ（例えば、８ＣＣ）が各グループにそれぞれ分類される。この場合、ユーザ端末は、ＣＣグループのスケジューリング情報（ＤＬ信号を受信したＣＣグループに関する情報）を４ビットのビットマップを利用して無線基地局に報告することができる（図６参照）。
【００６７】
図６Ａのテーブルでは、グループ＃０にセルインデックスが連続したＣＣ（ＣＣ＃０−ＣＣ＃７）、グループ＃１に連続したＣＣ（ＣＣ＃８−ＣＣ＃１５）を割当てる場合を示している。また、グループ＃２にセルインデックスが非連続のＣＣ（ＣＣ＃１６、＃１８、＃２０、＃２２、＃２４、＃２６、＃２８、＃３０）、グループ＃３に非連続のＣＣ（ＣＣ＃１７、＃１９、＃２１、＃２３、＃２５、＃２７、＃２９、＃３１）を割当てる場合を示している。もちろん各グループに割当てるＣＣ数、ＣＣ番号はこれに限られない。
【００６８】
ユーザ端末は、各グループに含まれる少なくとも一つのＣＣでＤＬ信号を受信した場合に、当該グループに含まれるセルのＡＣＫ／ＮＡＣＫをフィードバックする構成とすることができる。例えば、ユーザ端末がＣＣ＃０−ＣＣ＃７、ＣＣ＃１６、＃１８、＃２０に対するＤＬ信号を受信した場合を想定する。
【００６９】
この場合、ユーザ端末は、ＤＬ信号を受信したＣＣ＃０−ＣＣ＃７が属するグループ＃０と、ＣＣ＃１６、＃１８、＃２０が属するグループ＃２でＤＬ信号を受信したことを示す情報（グループスケジューリング情報）をフィードバックする。また、ユーザ端末は、選択されたグループに属する各セルのＡＣＫ／ＮＡＣＫ情報を選択的にフィードバックすることができる。
【００７０】
例えば、ユーザ端末は、図６Ｂに示すように、グループ＃０とグループ＃２に対応するビットマップを“１”に設定し、当該グループ＃０とグループ＃２に含まれるセルに対応するＡＣＫ／ＮＡＣＫをビットマップ形式等でフィードバックする。この場合、ユーザ端末は、ＣＣグループ番号を規定する４ビットのビットマップを利用して各グループに含まれるセル（いずれかのセル）で受信があったことを通知する。また、ユーザ端末は、各ＣＣグループ番号に続く各ＣＣのフィールドを利用して、ＡＣＫ／ＮＡＣＫビット系列を通知することができる。なお、フィードバックする形式はビットマップ形式に限られない。
【００７１】
この場合、ユーザ端末は、ＣＣグループ番号を示す先頭ビットの値（“１”となる数）に応じて、その後に続くＡＣＫ／ＮＡＣＫのビット系列の長さ（サイズ）を変更して制御することができる。図６Ｂでは、グループ＃０とグループ＃２に含まれるセルのＡＣＫ／ＮＡＣＫのみを符号化してフィードバックすればよい。なお、ユーザ端末は、グループ＃２においてＤＬ信号を受信しなかったセル（図６ＢにおけるＣＣ＃２２、＃２４、＃２６、＃２８、＃３０）に対してＮＡＣＫを設定してフィードバックすることができる。
【００７２】
また、ユーザ端末は、ＣＣグループ番号を示すビットと、各ＣＣのＡＣＫ／ＮＡＣＫを示すビットを別々に（独立して）符号化することができる。これにより、復号側（例えば、無線基地局）は、ＣＣグループ番号を示すビット系列に基づいてＡＣＫ／ＮＡＣＫのビット系列のサイズ（コードブックサイズ）を適切に把握することが可能となる。
【００７３】
また、ＤＬ信号を受信したセルグループに関する情報（ＣＣグループ番号、ＣＣグループスケジューリング情報）と、関連するＡＣＫ／ＮＡＣＫとを別々に符号化する場合、ユーザ端末は、それぞれのビット系列を異なるリソース、タイミング、及び／又は異なるＰＵＣＣＨフォーマットを用いて送信することができる。
【００７４】
例えば、ユーザ端末は、ＣＣグループ番号に関する情報に対して、ＣＣグループ数（Ｚ）に応じた所定のＰＵＣＣＨフォーマットを適用して送信することができる。一例として、Ｚが２より大きく１６以下の場合（２＜Ｚ≦１６）、ユーザ端末はＣＣグループ番号に関する情報を既存のＰＵＣＣＨフォーマット３で送信する。また、Ｚが２の場合（Ｚ＝２）、ユーザ端末はＣＣグループ番号に関する情報を既存のＰＵＣＣＨフォーマット１ｂで送信することができる。ＣＣグループ番号に関する情報を割当てるリソース（ＰＵＣＣＨリソース）は、上位レイヤシグナリング等でユーザ端末に通知することができる。
【００７５】
一方で、ユーザ端末は、ＡＣＫ／ＮＡＣＫに対しては、新規のＰＵＣＣＨフォーマット／新規ＰＵＣＣＨリソース（図７Ａ参照）、又はＰＵＳＣＨ（図７Ｂ）を用いて無線基地局にフィードバックすることができる。このように、ＣＣグループ番号に関する情報と、ＡＣＫ／ＮＡＣＫを別々に送信することにより、ＣＣグループ番号に関する情報とＡＣＫ／ＮＡＣＫの誤り率を独立に制御することができる。ＣＣグループ番号に関する情報で誤りが発生すると、ＡＣＫ／ＮＡＣＫ全体の誤り率が著しく高くなることから、ＣＣグループに関する情報はＡＣＫ／ＮＡＣＫよりも信頼性が高い送信方法を行うことが望ましい。これには、例えば低い符号化率で送信する、より多くのリソースを割り当てる、といった方法が適用できる。
【００７６】
あるいは、ユーザ端末は、ＣＣグループに関する情報と、関連するＡＣＫ／ＮＡＣＫを別々に符号化した上で同じリソースを用いて送信してもよい。この場合、ＣＣグループに関する情報と、当該ＣＣグループに関する情報に続くＡＣＫ／ＮＡＣＫとを、ＰＵＳＣＨ（図７Ｂ参照）、又は新規のＰＵＣＣＨフォーマット／新規ＰＵＣＣＨリソース（図７Ａ）に割当てて送信することができる。このように、ＣＣグループ番号に関する情報と、ＡＣＫ／ＮＡＣＫを一緒に送信することにより、当該ユーザ端末のＡＣＫ／ＮＡＣＫ送信に必要な上りリンクリソース量を減らせるため、オーバーヘッドを削減することができる。
【００７７】
また、ユーザ端末は、新規ＰＵＣＣＨフォーマット／新規ＰＵＣＣＨリソースの設計によっては、ＣＣグループ番号に関する情報と、ＡＣＫ／ＮＡＣＫとをジョイント符号化（結合符号化）してもよい。この場合、ＣＣグループ番号に関する情報とＡＣＫ／ＮＡＣＫとを１つの符号語とみなし、ＣＲＣを付加して誤り訂正符号を適用する方法が適用できる。
【００７８】
このように、複数のセルをグループに分類すると共に、ＤＬ信号を受信したセルグループ（ＣＣグループ番号）に関する情報と、各グループに含まれるセルのＡＣＫ／ＮＡＣＫを選択的にフィードバックすることにより、上り制御信号のオーバーヘッドの増加を抑制することができる。また、ユーザ端末が、ＣＣグループ番号に関する情報と、対応するセルのＡＣＫ／ＮＡＣＫを別々に符号化して無線基地局に送信することにより、ユーザ端末と無線基地局間のＡＣＫ／ＮＡＣＫコードブックサイズの認識を一致させることができる。その結果、ＨＡＲＱ−ＡＣＫのフィードバックを適切に行うと共に通信品質の低下を抑制することが可能となる。
【００７９】
（無線通信システム）
以下、本発明の一実施形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【００８０】
図８は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）などと呼ばれても良い。
【００８１】
図８に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。
【００８２】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、６個以上のＣＣ）を用いてＣＡ又はＤＣを適用することができる。
【００８３】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００８４】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【００８５】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００８６】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００８７】
各ユーザ端末２０は、ＬＴＥ、ＬＴＥ−Ａなどの各種通信方式に対応した端末であり、移動通信端末だけでなく固定通信端末を含んでもよい。
【００８８】
無線通信システム１においては、無線アクセス方式として、下りリンクにＯＦＤＭＡ（直交周波数分割多元接続）が適用され、上りリンクにＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、上りリンクでＯＦＤＭＡが用いられてもよい。
【００８９】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【００９０】
下りＬ１／Ｌ２制御チャネルは、下り制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認情報（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００９１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。送達確認情報（ＡＣＫ／ＮＡＣＫ）や無線品質情報（ＣＱＩ）などの少なくも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルが伝送される。
【００９２】
＜無線基地局＞
図９は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信部１０３は、送信部及び受信部で構成される。
【００９３】
下りリンクにより無線基地局１０からユーザ端末２０に送信されるユーザデータは、上位局装置３０から伝送路インターフェース１０６を介してベースバンド信号処理部１０４に入力される。
【００９４】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【００９５】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【００９６】
送受信部（送信部）１０３は、ＤＡＩを含む下り制御情報（ＤＣＩ）を送信することができる。また、送受信部（受信部）１０３は、ユーザ端末から送信されるＨＡＲＱ−ＡＣＫを所定のＰＵＣＣＨリソースで受信することができる。また、送受信部（受信部）１０３は、ユーザ端末がＤＬ信号を受信したセルに関する情報（検出したセルのスケジューリング情報）をビットマップ形式等で受信することができる。
【００９７】
送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００９８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００９９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１００】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１０１】
図１０は、本実施形態に係る無線基地局の機能構成の一例を示す図である。なお、図１０では、本実施形態における特徴部分の機能ブロックを主に示しており、無線基地局１０は、無線通信に必要な他の機能ブロックも有しているものとする。図１０に示すように、ベースバンド信号処理部１０４は、制御部（スケジューラ）３０１と、送信信号生成部（生成部）３０２と、マッピング部３０３と、受信信号処理部３０４と、を備えている。
【０１０２】
制御部（スケジューラ）３０１は、ＰＤＳＣＨで送信される下りデータ信号、ＰＤＣＣＨ及び／又はＥＰＤＣＣＨで伝送される下り制御信号のスケジューリング（例えば、リソース割り当て）を制御する。また、システム情報、同期信号、ページング情報、ＣＲＳ（Cell-specific  Reference  Signal）、ＣＳＩ−ＲＳ（Channel  State  Information  Reference  Signal）等のスケジューリングの制御も行う。また、上り参照信号、ＰＵＳＣＨで送信される上りデータ信号、ＰＵＣＣＨ及び／又はＰＵＳＣＨで送信される上り制御信号等のスケジューリングを制御する。
【０１０３】
制御部３０１は、ユーザ端末からフィードバックされる送達確認信号（ＨＡＲＱ−ＡＣＫ）に基づいて、下りデータの再送／新規データ送信を制御する。また、制御部３０１は、ＤＬ送信を行う複数のセルの中でＤＣＩに含まれるＤＡＩの値が最も大きいセル、又はセルインデックスが最も大きいセルに対して設定されるＰＵＣＣＨリソースを考慮してＡＣＫ／ＮＡＣＫの受信処理を制御することができる。なお、かかる受信処理は、制御部３０１からの指示に基づいて受信信号処理部３０４で行ってもよい。
【０１０４】
また、制御部３０１は、送信する複数のＤＣＩの中でＤＡＩの値が最も大きいセル、又はセルインデックスが最も大きいセルのＤＣＩに、他のセルと異なるＰＵＣＣＨのリソース情報を含めてＤＬ送信を制御することができる。なお、制御部３０１は、本発明に係る技術分野での共通認識に基づいて説明されるコントローラ、制御回路又は制御装置とすることができる。
【０１０５】
送信信号生成部３０２は、制御部３０１からの指示に基づいて、ＤＬ信号（下りデータ信号、下り制御信号を含む）を生成して、マッピング部３０３に出力する。具体的には、送信信号生成部３０２は、ユーザデータを含む下りデータ信号（ＰＤＳＣＨ）を生成して、マッピング部３０３に出力する。また、送信信号生成部３０２は、ＤＣＩ（ＵＬグラント）を含む下り制御信号（ＰＤＣＣＨ／ＥＰＤＣＣＨ）を生成して、マッピング部３０３に出力する。また、送信信号生成部３０２は、ＣＲＳ、ＣＳＩ−ＲＳなどの下り参照信号を生成して、マッピング部３０３に出力する。
【０１０６】
送信信号生成部３０２は、本発明に係る技術分野での共通認識に基づいて説明される信号生成器、信号生成回路又は信号生成装置とすることができる。
【０１０７】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１０８】
受信信号処理部３０４は、ユーザ端末２０から送信されるＵＬ信号（ＨＡＲＱ−ＡＣＫ、ＰＵＳＣＨ等）に対して、受信処理（例えば、デマッピング、復調、復号など）を行う。処理結果は、制御部３０１に出力される。受信信号処理部３０４は、本発明に係る技術分野での共通認識に基づいて説明される信号処理器、信号処理回路又は信号処理装置、並びに、測定器、測定回路又は測定装置から構成することができる。
【０１０９】
＜ユーザ端末＞
図１１は、本発明の一実施形態に係るに係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。なお、送受信部２０３は、送信部及び受信部から構成されてもよい。
【０１１０】
複数の送受信アンテナ２０１で受信された無線周波数信号は、それぞれアンプ部２０２で増幅される。各送受信部２０３はアンプ部２０２で増幅された下り信号を受信する。送受信部２０３は、受信信号をベースバンド信号に周波数変換して、ベースバンド信号処理部２０４に出力する。
【０１１１】
送受信部（受信部）２０３は、ＤＬデータ信号（例えば、ＰＤＳＣＨ）や、下り制御情報（例えば、ＵＬグラント、ＤＡＩ等が含まれるＤＣＩ）を受信する。また、送受信部（送信部）２０３は、ＤＬデータ信号に対するＨＡＲＱ−ＡＣＫや、ＵＬグラントに対するＰＵＳＣＨを送信する。また、送受信部（送信部）２０３は、ユーザ端末がＤＬ信号を受信したセルに関する情報（検出したセルのスケジューリング情報）をビットマップ形式等で送信することができる。なお、送受信部２０３は、本発明に係る技術分野での共通認識に基づいて説明されるトランスミッター／レシーバー、送受信回路又は送受信装置とすることができる。
【０１１２】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１１３】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて各送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１１４】
図１２は、本実施形態に係るユーザ端末の機能構成の一例を示す図である。なお、図１２においては、本実施形態における特徴部分の機能ブロックを主に示しており、ユーザ端末２０は、無線通信に必要な他の機能ブロックも有しているものとする。図１２に示すように、ユーザ端末２０が有するベースバンド信号処理部２０４は、制御部４０１と、送信信号生成部４０２と、マッピング部４０３と、受信信号処理部４０４と、判定部４０５と、を備えている。
【０１１５】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御信号や、下りデータ信号に対する再送制御の要否を判定した結果などに基づいて、上り制御信号（例えば、送達確認信号（ＨＡＲＱ−ＡＣＫ）など）や上りデータ信号の生成を制御する。具体的には、制御部４０１は、送信信号生成部４０２、マッピング部４０３及び受信信号処理部４０４の制御を行うことができる。
【０１１６】
制御部４０１は、複数のセルのＤＣＩを受信した場合、受信したＤＣＩに含まれるＤＡＩの値が最も大きいセル（ＰＤＣＣＨ）、又はセルインデックスが最も大きいセルに対して設定されるＰＵＣＣＨリソースを用いてＡＣＫ／ＮＡＣＫの送信を制御することができる。また、制御部４０１は、受信したＤＣＩの中でＤＡＩの値が最も大きいＤＣＩに含まれる上り制御チャネルのリソース情報を用いてＡＣＫ／ＮＡＣＫの送信を制御することができる。
【０１１７】
また、制御部４０１は、無線基地局から送信される複数のＤＣＩの中でＤＡＩの値が最も大きいセル、又はセルインデックスが最も大きいセルのＤＣＩを受信できなかった場合、当該ＤＡＩの値が最も大きいセル、又はセルインデックスが最も大きいセルに対応するＡＣＫ／ＮＡＣＫの送信を行わないように制御することができる。また、制御部４０１は、無線基地局から送信される複数のＤＣＩの中でＤＡＩの値が最も大きいセル又はセルインデックスが最も大きいセルとは異なる他セルのＤＣＩを受信できなかった場合、当該他セルについてＮＡＣＫを送信するように制御することができる。
【０１１８】
また、制御部４０１は、複数のセルがグループ化されて分類されている場合、ＤＬ信号を受信したセルが属するグループの情報と、当該グループに含まれるセルに対応するＡＣＫ／ＮＡＣＫの送信を制御することができる。この場合、制御部４０１は、ＤＬ信号を受信したセルが属するグループに含まれるセルに対応するＡＣＫ／ＮＡＣＫをビットマップで送信し、ＤＬ信号を受信したセルが含まれないグループに対してＡＣＫ／ＮＡＣＫの送信を行わないように制御することができる。また、制御部４０１は、ＤＬ信号を受信したセルが属するグループの情報と、当該グループに含まれるセルに対応するＡＣＫ／ＮＡＣＫの情報を別々に符号化して送信を制御することができる。
【０１１９】
なお、制御部４０１は、本発明に係る技術分野での共通認識に基づいて説明されるコントローラ、制御回路又は制御装置とすることができる。
【０１２０】
送信信号生成部４０２は、制御部４０１からの指示に基づいて、ＵＬ信号を生成して、マッピング部４０３に出力する。例えば、送信信号生成部４０２は、制御部４０１からの指示に基づいて、送達確認信号（ＨＡＲＱ−ＡＣＫ）やチャネル状態情報（ＣＳＩ）等の上り制御信号を生成する。
【０１２１】
また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。送信信号生成部４０２は、本発明に係る技術分野での共通認識に基づいて説明される信号生成器、信号生成回路又は信号生成装置とすることができる。
【０１２２】
マッピング部４０３は、制御部４０１からの指示に基づいて、送信信号生成部４０２で生成された上り信号（上り制御信号及び／又は上りデータ）を無線リソースにマッピングして、送受信部２０３へ出力する。マッピング部４０３は、本発明に係る技術分野での共通認識に基づいて説明されるマッパー、マッピング回路又はマッピング装置とすることができる。
【０１２３】
受信信号処理部４０４は、ＤＬ信号（例えば、無線基地局から送信された下り制御信号、ＰＤＳＣＨで送信された下りデータ信号等）に対して、受信処理（例えば、デマッピング、復調、復号など）を行う。受信信号処理部４０４は、無線基地局１０から受信した情報を、制御部４０１、判定部４０５に出力する。受信信号処理部４０４は、例えば、報知情報、システム情報、ＲＲＣシグナリング、ＤＣＩなどを、制御部４０１に出力する。
【０１２４】
受信信号処理部４０４は、本発明に係る技術分野での共通認識に基づいて説明される信号処理器、信号処理回路又は信号処理装置、並びに、測定器、測定回路又は測定装置から構成することができる。また、受信信号処理部４０４は、本発明に係る受信部を構成することができる。
【０１２５】
判定部４０５は、受信信号処理部４０４の復号結果に基づいて、再送制御判定（ＡＣＫ／ＮＡＣＫ）を行うと共に、判定結果を制御部４０１に出力する。複数ＣＣ（例えば、６個以上のＣＣ）から下り信号（ＰＤＳＣＨ）が送信される場合には、各ＣＣについてそれぞれ再送制御判定（ＡＣＫ／ＮＡＣＫ）を行い制御部４０１に出力する。判定部４０５は、本発明に係る技術分野での共通認識に基づいて説明される判定回路又は判定装置から構成することができる。
【０１２６】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１２７】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、無線基地局１０やユーザ端末２０は、プロセッサ（ＣＰＵ：Central  Processing  Unit）と、ネットワーク接続用の通信インターフェースと、メモリと、プログラムを保持したコンピュータ読み取り可能な記憶媒体と、を含むコンピュータ装置によって実現されてもよい。つまり、本発明の一実施形態に係る無線基地局、ユーザ端末などは、本発明に係る無線通信方法の処理を行うコンピュータとして機能してもよい。
【０１２８】
ここで、プロセッサやメモリなどは情報を通信するためのバスで接続される。また、コンピュータ読み取り可能な記録媒体は、例えば、フレキシブルディスク、光磁気ディスク、ＲＯＭ（Read  Only  Memory）、ＥＰＲＯＭ（Erasable  Programmable  ＲＯＭ）、ＣＤ−ＲＯＭ（Compact  Disc−ＲＯＭ）、ＲＡＭ（Random  Access  Memory）、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１２９】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。
【０１３０】
ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１３１】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１３２】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。また、コンポーネントキャリア（ＣＣ）は、キャリア周波数、セルなどと呼ばれてもよい。
【０１３３】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１３４】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３５】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０１３６】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。
【０１３７】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１３８】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１３９】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１４０】
本出願は、２０１５年８月１３日出願の特願２０１５−１５９９９８に基づく。この内容は、すべてここに含めておく。
【図１】
2017026402.tif 000003
【図２】
2017026402.tif 000004
【図３】
2017026402.tif 000005
【図４】
2017026402.tif 000006
【図５】
2017026402.tif 000007
【図６】
2017026402.tif 000008
【図７】
2017026402.tif 000009
【図８】
2017026402.tif 000010
【図９】
2017026402.tif 000011
【図１０】
2017026402.tif 000012
【図１１】
2017026402.tif 000013
【図１２】
2017026402.tif 000014
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
複数のセルから送信されるＤＬ信号を受信する受信部と、
受信したＤＬ信号に対するＡＣＫ／ＮＡＣＫの送信を制御する制御部と、を有し、
前記制御部は、複数のセルの下り制御情報を受信した場合、受信した下り制御情報に含まれるＤＬ割当てインデックスの値が最も大きいセル、又はセルインデックスが最も大きいセルに対して設定される上り制御チャネルのリソースを用いてＡＣＫ／ＮＡＣＫの送信を制御し、
前記制御部は、無線基地局から送信される複数の下り制御情報の中でＤＬ割当てインデックスの値が最も大きいセル又はセルインデックスが最も大きいセルとは異なる他セルの下り制御情報を受信できなかった場合、当該他セルについてＮＡＣＫを送信するように制御することを特徴とするユーザ端末。
【請求項２】
無線基地局から送信される複数の下り制御情報の中でＤＬ割当てインデックスの値が最も大きいセル、又はセルインデックスが最も大きいセルの下り制御情報に、他のセルと異なる上り制御チャネルのリソース情報が含まれていることを特徴とする請求項１に記載のユーザ端末。
【請求項３】
前記制御部は、受信した下り制御情報の中でＤＬ割当てインデックスの値が最も大きい下り制御情報に含まれる上り制御チャネルのリソース情報を用いてＡＣＫ／ＮＡＣＫの送信を制御することを特徴とする請求項１又は請求項２に記載のユーザ端末。
【請求項４】
前記制御部は、無線基地局から送信される複数の下り制御情報の中でＤＬ割当てインデックスの値が最も大きいセル、又はセルインデックスが最も大きいセルの下り制御情報を受信できなかった場合、当該ＤＬ割当てインデックスの値が最も大きいセル、又はセルインデックスが最も大きいセルに対応するＡＣＫ／ＮＡＣＫの送信を行わないことを特徴とする請求項１から請求項３のいずれかに記載のユーザ端末。
【請求項５】
複数のセルから送信されるＤＬ信号を受信する受信部と、
受信したＤＬ信号に対するＡＣＫ／ＮＡＣＫと、ＤＬ信号を受信したセルに関する情報と、の送信を制御する制御部と、を有し、
複数のセルがグループ化されて分類されており、前記制御部は、ＤＬ信号を受信したセルが属するグループの情報と、当該グループに含まれるセルに対応するＡＣＫ／ＮＡＣＫの送信を制御することを特徴とするユーザ端末。
【請求項６】
前記制御部は、ＤＬ信号を受信したセルが属するグループに含まれるセルに対応するＡＣＫ／ＮＡＣＫをビットマップで送信し、ＤＬ信号を受信したセルが含まれないグループに対してＡＣＫ／ＮＡＣＫの送信を行わないように制御することを特徴とする請求項５に記載のユーザ端末。
【請求項７】
前記制御部は、ＤＬ信号を受信したセルが属するグループの情報と、当該グループに含まれるセルに対応するＡＣＫ／ＮＡＣＫの情報を別々に符号化して送信を制御することを特徴とする請求項５又は請求項６に記載のユーザ端末。
【請求項８】
複数のセルを利用可能なユーザ端末と通信を行う無線基地局であって、
各セルからＤＬ送信を行う送信部と、
ＤＬ送信に対してユーザ端末からフィードバックされるＡＣＫ／ＮＡＣＫの受信を制御する制御部と、を有し、
前記制御部は、ＤＬ送信を行う複数のセルの中で下り制御情報に含まれるＤＬ割当てインデックスの値が最も大きいセル、又はセルインデックスが最も大きいセルに対して設定される上り制御チャネルのリソースを考慮してＡＣＫ／ＮＡＣＫの受信を制御することを特徴とする無線基地局。
【請求項９】
複数のセルを利用して通信可能なユーザ端末の無線通信方法であって、
複数のセルから送信されるＤＬ信号を受信する工程と、
受信したＤＬ信号に対するＡＣＫ／ＮＡＣＫを送信する工程と、を有し、
複数のセルの下り制御情報を受信した場合、受信した下り制御情報に含まれるＤＬ割当てインデックスの値が最も大きいセル、又はセルインデックスが最も大きいセルに対して設定される上り制御チャネルのリソースを用いてＡＣＫ／ＮＡＣＫの送信を制御することを特徴とする無線通信方法。
【国際調査報告】
2017026402.tif 000015
2017026402.tif 000016
2017026402.tif 000017
2017026402.tif 000018
2017026402.tif 000019
2017026402.tif 000020
2017026402.tif 000021
2017026402.tif 000022